(57)【要約】      （修正有）【課題】ゲーム機や携帯電話や音楽再生装置などの表面に突出部を具備している場合にも綺麗に装飾性の優れた状態で貼ることができるデコシールを提供する。【解決手段】表面に四角形状をした突出部を具備したシール貼着対象物（ＤＳ  ｌｉｔｅ）の四角形状をした突出部を除き被覆して装飾するデコシール４３において、突出部に対応する位置および形状に開口４３ａが形成されており、開口の角部４３ｄ、４３ｅから開口の外側に向けて小三角形状の切欠き４４が形成されている。【選択図】図４
0003132238.tif 000002
【実用新案登録請求の範囲】
【請求項１】
表面に多角形状をした突出部を具備したシール貼着対象物の前記多角形状をした突出部を除き被覆して装飾するデコシールにおいて、前記突出部に対応する位置および形状に開口が形成されており、該開口の角部から該開口の外側に向けて小三角形状の切欠きが形成されていることを特徴とするデコシール。
【請求項２】
突出部および前記開口が四角形状をしていることを特徴とする請求項１に記載のデコシール。
【請求項３】
前記小三角形状の切欠きの先端が小円弧状部により連結されていることを特徴とする請求項１または２に記載のデコシール。
【請求項４】
前記シール貼着対象物が表面にシール貼着対象物の操作ボタンを有しており、該操作ボタンに対応する位置に操作ボタンを収納する透孔が形成されていることを特徴とする請求項１〜３の何れか１項に記載のデコシール。
【請求項５】
裏面に接着剤層を介して剥離紙が積層されていることを特徴とする請求項１〜４の何れか１項に記載のデコシール。
【考案の詳細な説明】
【技術分野】
【０００１】
本考案はデコシール（デコレーション  シール）に関する。より詳しくは、本考案は、シール貼着対象物（ＤＳ  ｌｉｔｅ（商品名）、タマゴッチ（商品名）のようなゲーム機や、ｉｐｏｄ（商品名）のような音楽再生機や、携帯電話や、ポケットベルなど）の、使用者が携帯して使用する商品の表面に貼って、それら商品の装飾性を改善するためのデコシールに関する。
【背景技術】
【０００２】
ＤＳ  ｌｉｔｅのようなゲーム機や、ｉｐｏｄのような音楽再生機や、携帯電話や、ポケットベルなどが広く用いられている。
【０００３】
これらを購入した状態のまま使用することも多いが、それらの装飾を変えることによって使用者個人の好みに応じた装飾としたり、既存の商品を別のデザインとすることが行われている。この場合には、裏面に剥離紙が貼られ、表面に模様などの装飾が施されたプラスチックフィルムからなるデコシールから剥離紙を剥がし、プラスチックフィルムをこれらの手持ち商品の表面に貼ることが行われている。
【０００４】
特許文献１（実用新案登録第３０６９３１４号公報）には、シートの裏面に粘着剤層を形成するとともに、該粘着剤層の下面に透明な剥離シートを貼着し、更に該透明な剥離シートの一部に予め帯状にカッティングを施して位置決め用剥離品を形成して、不慣れな一般人でも簡単且つ容易にまた正確に指定位置に貼り付けることができるようにした携帯電話機用装飾シールが提案されている。
【０００５】
特許文献２（実用新案登録第３０１４１７４号公報）には、ポケットベルの表面を略覆うことができる形状のシール本体であって、そのシール本体のポケットベルの表示窓に対応する位置に透孔を形成し、ポケットベルの操作部に対応する位置に操作部を納められる凹陥部を形成し、このシール本体の裏面に接着剤層と離型紙とを積層したことを特徴とするポケットベル用のシールが提案されている。
【特許文献１】実用新案登録第３０６９３１４号公報
【特許文献２】実用新案登録第３０１４１７４号公報
【考案の開示】
【考案が解決しようとする課題】
【０００６】
携帯電話やポケットベルなどの表面が平らな場合には、上述した特許文献１または特許文献２に提案されたシールによって、シールを綺麗に貼ることができる。しかしながら最近、ＤＳ  ｌｉｔｅなどのゲーム機や携帯電話などにおいては、液晶画面などの表示部（ディスプレイ）を他の部分よりも突出させるなどしてデザインを変えることが行われている。このように装置の一部を突出させた場合に、その突出部分が出っ張っているために、そこに平らなシールを貼ろうとするとシールが波を打ってしまい綺麗に貼ることができない。
【０００７】
このような対策として、突出部の外側の平らな部分だけにデコシールを貼るようなことも行われている。しかしながら、商品の一部にしかデコシールが貼られていないと、何か手抜きしたような感じを与え、装飾性が劣るものとなってしまう。
【０００８】
また、デコシールを突出部の近傍まで達する大きさとし、フィルムを無理に引っ張って突出部分まで貼付けた場合には、フィルムは引っ張られて伸びるので突出部分の近傍まで貼ることはできるが、引っ張ったフィルムは今度は縮むために突出部のところに皺が寄ってしまう。特に、突出部の部分がうまく貼れない状態で貼り直そうとした場合には全くうまく貼れなくなってしまう。
【０００９】
このような点に鑑みて、本考案はゲーム機や携帯電話や音楽再生装置などの表面に突出部を具備している場合にも綺麗に装飾性の優れた状態で貼ることができるデコシールを提供することを目的とする。
【課題を解決するための手段】
【００１０】
本考案においては、表面に多角形状をした突出部（操作用のボタンではない突出部）を具備したシール貼着対象物の前記多角形状をした突出部を除き被覆して装飾するデコシールにおいて、前記突出部に対応する位置および形状に開口が形成されており、該開口の角部から該開口の外側に向けて小三角形状の切欠きが形成されていることを特徴とするデコシールにより上記の目的を達成する。
【００１１】
実際問題として、ゲーム機や携帯電話などにおいては、液晶画面などの突出部は四角形状をしていることが多い。このような場合には、前記開口が四角形状をしていることが好ましい。
【００１２】
特に、本考案においては前記小三角形状の切欠きの先端が小円弧状部により連結されているデコシールとすることが望ましい。このようにすることによって、突出部に沿ってデコシールを貼るときに、小三角形状の切欠きの先端が裂けたりすることが防止できる。
【００１３】
また本考案においては、上述の特許文献２と同様に前記シール貼着対象物が表面にシール貼着対象物の操作ボタンを有しており、該操作ボタンに対応する位置に操作ボタンを収納する透孔が形成されているデコシールとすることが好ましい。
【００１４】
また本考案のデコシールは、特許文献１または特許文献２のように裏面に接着剤層を介して剥離紙が積層されているデコシールとすることが好ましい。
【考案の効果】
【００１５】
本考案によれば、ゲーム機や携帯電話などのシールを貼るシール貼着対象物の表面に、操作用のボタンではない多角形状をした突出部を具備している場合に、この突出部に対応する位置に突出部に開口が形状されており、この開口の角部から開口の外側に向けて小三角形状の切欠きが形成されている。このため本考案のデコシールを貼った場合に、突出部の突出による三次元的な突出形状の部分においても、底の長さ部分の変化を小三角形状の切欠きによって吸収することができ、デコシールを極めて綺麗にシール貼着対象物に貼ることができる。
【考案を実施するための最良の形態】
【００１６】
以下、本考案をＤＳ  ｌｉｔｅに実施した実施例を示す添付図面を参照して、本考案を説明する。図１はＤＳ  ｌｉｔｅの閉じた状態の斜視図であり、図２はＤＳ  ｌｉｔｅの蓋を開けた状態の斜視図である。
【００１７】
このＤＳ  ｌｉｔｅ  １においては、図１および図２に示すように、本体１０の一端部１０ａに蝶番３０により蓋体２０が開閉自在に止着されている。蓋体２０を開くと、図２に示すように、本体１０の内側中央と蓋体２０の内側中央にそれぞれ四角形状をした液晶画面からなる表示部（ディスプレイ）１１、２１が設けられている。
【００１８】
これらの表示部１１、２１のうち蓋体２０に設けられている表示部２１は蓋体２０の内側表面とほぼ同じ高さ、所謂面一となっている。これに対して本体１０内側の表示部１１は、操作用の十字型をした十字ボタン１２および十字の角の位置に設けられた４つの操作ボタン１３の表面と略同じ高さまで突出しており、蓋体２０を閉じたときに本体１０と蓋体２０の表示部１１、２１の表面が接触して、十字ボタン１２、操作ボタン１３が蓋体２０によりスイッチオンとならないようにしている。このため本体１０側の表示部１１は本体１０の内側表面よりも約２ｍｍ程度突出している。
【００１９】
このような状態のＤＳ  ｌｉｔｅ  １の表面にデコシールを貼る場合には、図３に示すデコシール４０を用意する。図３には、上部にＤＳ  ｌｉｔｅ  １の外側に貼付するデコシール片４１を、中程にＤＳ  ｌｉｔｅ  １の蓋体２０の内側表面に貼付するデコシール片４２を、下部にＤＳ  ｌｉｔｅ  １の本体の内側表面に貼付するデコシール片４３を示している。
【００２０】
デコシール４０（デコシール片４１、４２、４３）は、例えばポリプロピレンフィルム等のポリオレフィン系フィルムからなり、裏側に接着剤を介して剥離紙が貼着されており、フィルムの表面にロゴ、模様、図柄などが印刷されている。そして、デコシール４０（デコシール片４１、４２、４３）を剥離紙から剥がし、そのデコシール４０の裏面に塗布された接着剤によってＤＳ  ｌｉｔｅ  １の所定位置に貼付ければよい。
【００２１】
図３の上部に示すデコシール片４１の剥離紙を剥がし、図１に示す閉じた状態の蓋体２０の外側および適宜必要に応じて本体１０の裏側に貼る。この場合に、ＤＳ  ｌｉｔｅ  １の外側の表裏はほぼ平らなために、外側の大きさにほぼ等しいデコシール片４１を用いて貼ることができる。
【００２２】
そして、図２に示す開いた状態の蓋体２０の表示部２１の周辺に、図３の中程に示すデコシール片４２を貼る。
【００２３】
蓋体２０の内側表面においては、表示部２１およびその左右のスピーカー部２３はほぼ同じ高さとなっているために、表示部２１に対応して、それと同じような大きさの開口４２ａが形成されたデコシール片４２を、蓋体２０の内側表面に貼ることによって、デコシール片４２によって装飾を施すことができる。なお、デコシール片４２には左右のスピーカー部２３に対応した位置および大きさの小孔４２ｂが穿たれており、スピーカー部２３からの音声が妨害されないようにしている。
【００２４】
一方、本体１０の内側上面には、図３の下側に示すデコシール片４３を貼る。なお、本体１０の内側上面には、十字ボタン１２および操作ボタン１３が突出しており、それらの高さが高くなっているので、これら十字ボタン１２および操作ボタン１３の形状に合わせてデコシール片４３に透孔４３ｂ、４３ｃを開けている。前述のように、本体１０の内側上面には、十字ボタン１２および操作ボタン１３の表面と略同じ高さまで突出した表示部１１が設けられており、突出した表示部１１に対応する位置および形状の開口４３ａがデコシール片４３に形成されている。
【００２５】
上述のように、本体１０の内側上面の表示部１１は、本体１０の表面から約２ｍｍ突出している。この突出している部分は、十字ボタン１２またはプッシュボタン１２側から滑らかな曲面に沿って突出している。また、蝶番３０と半体側においても、滑らかな曲面に沿って突出している。このため、表示部１１の角部近傍の外側においては、両方の曲面が組み合わされて、複雑な三次元曲面となっている。このため、表示部１１の角部近傍にデコシール４３を綺麗に貼ることは非常に難しい。
【００２６】
この対策として、前述のように、この表示部１１の外側の本体１０の内側表面位置における大きさの開口とする方法もあるが、このようにした場合にはデコシールが表示部１１の直ぐ近くまで貼ることができず、すなわち、表示部１１と本体１０の内側表面との間の傾斜面（局面）がデコシールに覆われず、そのままとなり、装飾部分が何か片手落ちな不満足な状態となってしまう。
【００２７】
一方、この表示部１１の際までデコシールを貼るように、四角形状をした開口の大きさを十分表示窓に近付く小さな大きさとした場合には、表示部１１の部分が高くなっているために、デコシールを貼った場合に表示部の角部近傍においてデコシールにしわが生じてしまい、非常に見苦しいものになってしまう。図示した実施例の場合は特にデコシールのうち蝶番と反対側の部分のところが広がっているため、ここの部分が見苦しくなってしまう。
【００２８】
そこで、本考案においては、図３に示すように、デコシール片４３の蝶番３０と反対側の部分の角部４３ｄ、４３ｅから小三角形状の切欠き４４を外側に向けて入れている。このようにすることによって、表示部１１が突出していることにより、デコシール片４３を貼ったときに生じるしわが、この小三角形状の切欠き４４で吸収されてデコシール片４３を歪むことがなく綺麗に貼ることができる。なお、図４に示すように、切欠き４４の先端は小円弧状部４４ａにより連結されている。
【００２９】
以上の説明はＤＳ  ｌｉｔｅ  １に実施した実施例につき説明したが、本考案は、ＤＳ  ｌｉｔｅ  １に限られるものではなく、ｉｐｏｄや携帯電話などに広く適用することができる。
【図面の簡単な説明】
【００３０】
【図１】本考案を実施するＤＳ  ｌｉｔｅの閉じた状態の斜視図である。
【図２】図１に示すＤＳ  ｌｉｔｅの蓋を開けた状態の斜視図である。
【図３】本考案に係るデコシールの展開図であり、上部にＤＳ  ｌｉｔｅ  １の外側に貼付するデコシール片４１を、中程にＤＳ  ｌｉｔｅ  １の蓋体２０の内側表面に貼付するデコシール片４２を、下部にＤＳ  ｌｉｔｅ  １の本体１０の内側表面に貼付するデコシール片４３を示している。
【図４】本考案に係るデコシールの切欠き部の拡大図である。
【符号の説明】
【００３１】
１  ＤＳ  ｌｉｔｅ
１０  本体
１０ａ  一端部
１１、２１  表示部（突出部）
１２  十字ボタン
１３  操作ボタン
２０  蓋体
２３  スピーカー部
３０  蝶番
４０  デコシール
４１、４２、４３  デコシール片
４３ａ  開口
４３ｂ、４３ｃ  透孔
４３ｄ、４３ｅ  角部
４４  小三角形状の切欠き
【図１】
0003132238.tif 000003
【図２】
0003132238.tif 000004
【図３】
0003132238.tif 000005
【図４】
0003132238.tif 000006